(57)【特許請求の範囲】
【請求項１】
ターボ復号による誤り訂正後のＣＲＣ判定結果により計測した受信信号の受信品質に基づき、基地局の送信電力を制御するＣＤＭＡ移動通信端末のターボ復号システムにおいて、  復号ビット数毎に前記受信品質を測定する品質測定手段と、前記品質測定手段で測定した復号ビット数毎の受信品質に基づいて、送信信号に挿入する基地局の送信電力を制御する送信電力制御ビット及びターボ復号のイタレーション回数を復号ビット数毎に制御する制御部と、を備え、
前記制御部は、処理単位あたりの復号ビット数が最大である場合の受信品質に基づく前記送信電力制御ビットの制御により前記処理単位あたりの復号ビット数が最大である場合の受信品質が所定の受信品質を満たした場合に、ターボ復号のイタレーション回数を制御し、
更に、前記制御部は、前記処理単位あたりの復号ビット数が最大である場合の受信品質が過去所定時間以内に更新されており、かつ所定の受信品質を満たした場合に、ターボ復号のイタレーション回数を制御する、
ことを特徴とするターボ復号システム。
【請求項２】
前記制御部は、前記処理単位あたりの復号ビット数が最大である場合の受信品質が所定の受信品質を満たしていない場合に、処理単位あたりの復号ビット数が最大以外の場合の受信品質に基づき前記送信電力制御ビットを制御することを特徴とする請求項１記載のターボ復号システム。
【請求項３】
前記制御部は、前記処理単位あたりの復号ビット数が最大である場合の受信品質が過去所定時間以内に更新されていない場合に、前記処理単位あたりの復号ビット数が最大以外の場合の受信品質に基づき前記送信電力制御ビットを制御することを特徴とする請求項１または請求項２に記載のターボ復号システム。
【請求項４】
前記制御部は、前記処理単位あたりの復号ビット数が最大である場合の受信品質が、過去所定時間以内に更新されておらず、過去所定時間以前の一定時間以内にも更新されていない場合に、前記処理単位あたりの復号ビット数が最大以外の場合のターボ復号のイタレーション回数を一旦最大値にすることを特徴とする請求項３記載のターボ復号システム。
【請求項５】
前記制御部は、前記イタレーション回数の制御として、前記処理単位あたりの復号ビット数が最大以外の場合の受信品質が所要品質を満たすようにターボ復号のイタレーション回数を制御することを特徴とする請求項１ないし４の何れかの請求項記載のターボ復号システム。
【請求項６】
受信信号から信号波対干渉波比を測定するＳＩＲ測定部と、前記ＳＩＲ測定部の出力が目標信号波対干渉波比になるように送信電力制御ビットを生成するＴＰＣビット生成部と、送信信号に送信電力制御ビットを挿入するＴＰＣビット挿入部と、を備え、前記制御部は、前記品質計測手段が復号ビット数毎の受信品質として計測したブロックエラーレートに基づき、処理単位あたりの復号ビット数が最大である場合のブロックエラーレートが移動通信における所要品質を満たす様にＴＰＣビット生成部に前記目標信号波対干渉波比を出力することを特徴とする請求項５記載のターボ復号システム。
【請求項７】
ターボ復号による誤り訂正後のＣＲＣ判定結果により計測した受信信号の受信品質に基づき、基地局の送信電力を制御するＣＤＭＡ移動通信端末の送信電力制御方法において、復号ビット数毎に前記受信品質を測定し、測定した復号ビット数毎の受信品質に基づいて、送信信号に挿入する基地局の送信電力を制御する送信電力制御ビット及びターボ復号のイタレーション回数を復号ビット数毎に制御し、
処理単位あたりの復号ビット数が最大である場合の受信品質に基づく前記送信電力制御ビットの制御により前記処理単位あたりの復号ビット数が最大である場合の受信品質が所定の受信品質を満たした場合に、ターボ復号のイタレーション回数を制御し、
前記処理単位あたりの復号ビット数が最大である場合の受信品質が過去所定時間以内に更新されており、かつ所定の受信品質を満たした場合に、ターボ復号のイタレーション回数を制御する、
することを特徴とする送信電力制御方法。
【請求項８】
前記処理単位あたりの復号ビット数が最大である場合の受信品質が所定の受信品質を満たしていない場合に、処理単位あたりの復号ビット数が最大以外の場合の受信品質に基づき前記送信電力制御ビットを制御することを特徴とする請求項７記載の送信電力制御方法。
【請求項９】
前記処理単位あたりの復号ビット数が最大である場合の受信品質が過去所定時間以内に更新されていない場合に、前記処理単位あたりの復号ビット数が最大以外の場合の受信品質に基づき前記送信電力制御ビットを制御することを特徴とする請求項７または請求項８に記載の送信電力制御方法。
【請求項１０】
前記処理単位あたりの復号ビット数が最大である場合の受信品質が、過去所定時間以内に更新されておらず、過去所定時間以前の一定時間以内にも更新されていない場合に、前記処理単位あたりの復号ビット数が最大以外の場合のターボ復号のイタレーション回数を一旦最大値にすることを特徴とする請求項９記載の送信電力制御方法。
【請求項１１】
前記イタレーション回数の制御として、前記処理単位あたりの復号ビット数が最大以外の場合の受信品質が所要品質を満たすようにターボ復号のイタレーション回数を制御することを特徴とする請求項７ないし１０の何れかの請求項記載の送信電力制御方法。
【請求項１２】
受信信号から信号波対干渉波比を測定し、測定した信号波対干渉波比が目標信号波対干渉波比になるように送信電力制御ビットを生成し、送信信号に前記送信電力制御ビットを挿入し、復号ビット数毎の受信品質として計測したブロックエラーレートに基づき、前記処理単位あたりの復号ビット数が最大である場合のブロックエラーレートが移動通信における所要品質を満たす様に前記目標信号波対干渉波比を出力することを特徴とする請求項１１記載の送信電力制御方法。
【請求項１３】
ターボ復号による誤り訂正後のＣＲＣ判定結果により計測した受信信号の受信品質に基づき、基地局の送信電力を制御するＣＤＭＡ移動通信端末において、
復号ビット数毎に前記受信品質を測定する品質測定手段と、前記品質測定手段で測定した復号ビット数毎の受信品質に基づいて、送信信号に挿入する基地局の送信電力を制御する送信電力制御ビットと前記ターボ復号のイタレーション回数を復号ビット数毎に制御する制御部と、を備え、
前記制御部は、処理単位あたりの復号ビット数が最大である場合の受信品質に基づく前記送信電力制御ビットの制御により前記処理単位あたりの復号ビット数が最大である場合の受信品質が所定の受信品質を満たした場合に、ターボ復号のイタレーション回数を制御し、
前記制御部は、前記処理単位あたりの復号ビット数が最大である場合の受信品質が過去所定時間以内に更新されており、かつ所定の受信品質を満たした場合に、ターボ復号のイタレーション回数を制御する
ことを特徴とするＣＤＭＡ移動通信端末。
【請求項１４】
前記制御部は、前記処理単位あたりの復号ビット数が最大である場合の受信品質が所定の受信品質を満たしていない場合に、処理単位あたりの復号ビット数が最大以外の場合の受信品質に基づき前記送信電力制御ビットを制御することを特徴とする請求項１３記載のＣＤＭＡ移動通信端末。
【請求項１５】
前記制御部は、前記処理単位あたりの復号ビット数が最大である場合の受信品質が過去所定時間以内に更新されていない場合に、前記処理単位あたりの復号ビット数が最大以外の場合の受信品質に基づき前記送信電力制御ビットを制御することを特徴とする請求項１３または請求項１４に記載のＣＤＭＡ移動通信端末。
【請求項１６】
前記制御部は、前記処理単位あたりの復号ビット数が最大である場合の受信品質が、過去所定時間以内に更新されておらず、過去所定時間以前の一定時間以内にも更新されていない場合に、前記処理単位あたりの復号ビット数が最大以外の場合のターボ復号のイタレーション回数を一旦最大値にすることを特徴とする請求項１５記載のＣＤＭＡ移動通信端末。
【請求項１７】
前記制御部は、前記イタレーション回数の制御として、前記処理単位あたりの復号ビット数が最大以外の場合の受信品質が所要品質を満たすようにターボ復号のイタレーション回数を制御することを特徴とする請求項１３ないし１６の何れかの請求項記載のＣＤＭＡ移動通信端末。
【請求項１８】
受信信号から信号波対干渉波比を測定するＳＩＲ測定部と、前記ＳＩＲ測定部の出力が目標信号波対干渉波比になるように送信電力制御ビットを生成するＴＰＣビット生成部と、送信信号に送信電力制御ビットを挿入するＴＰＣビット挿入部と、を備え、前記制御部は、前記品質計測手段が復号ビット数毎の受信品質として計測したブロックエラーレートに基づき、前記処理単位あたりの復号ビット数が最大である場合のブロックエラーレートが移動通信における所要品質を満たす様にＴＰＣビット生成部に前記目標信号波対干渉波比を出力することを特徴とする請求項１７記載のＣＤＭＡ移動通信端末。
【発明の詳細な説明】
【技術分野】
【０００１】
本発明はＣＤＭＡ移動通信に関し、特に、基地局の送信電力を制御するＣＤＭＡ移動通信端末のターボ復号システム、その送信電力制御方法及びＣＤＭＡ移動通信端末に関する。
【背景技術】
【０００２】
図１は従来例のＣＤＭＡ移動通信端末のターボ復号システム及び送信電力制御方法を示す図である。以下、図１を参照して従来技術を説明する。【０００３】
従来例のターボ復号システムの主要構成及び機能は以下のとおりである。
すなわち、受信アンテナ２１、受信部２２、ビット抽出部２３、ターボ復号部２４、ＴＦ検出部２５等からなり、基地局より送信されたデータは受信アンテナ２１で受信され、受信部２２によりＡ／Ｄ変換、逆拡散され、復調される。デジタル変換された復調データはビット抽出部２３によりターボ復号入力データ、ＴＦＣＩ（Transport Format Combination Indicator）ビット、パイロット（Ｐｉｌｏｔ）ビットに分割され、それぞれターボ復号部２４、ＴＦ（Transport Format）検出部２５、ＳＩＲ測定部２６に入力される。ＴＦ検出部２５は入力されたＴＦＣＩビットより、ターボ復号部２４に入力されるビット数等のデータフォーマット（ＴＦ）を算出する。ターボ復号部２４により誤り訂正されたユーザデータ２７は端末の上位アプリケーション等で使用される。【０００４】
図２はＴＦＣＩとターボ符号化前のビット数との関係の例を示すイメージ図である。通信時に同図の様なテーブルが基地局より通知されるため、ＴＦ検出部２５での前記ＴＦＣＩからＴＦへの変換は、これに基づき変換される。【０００５】
一方、送信側はターボ符号化部３３、ＴＰＣ（送信電力制御）ビット挿入部３４、送信部３５、送信アンテナ３６等からなり、送信するユーザデータ３２はターボ符号化部３３で符号化され、ＴＰＣ（送信電力制御）ビット挿入部３４により送信電力制御ビットが挿入された後、送信部３５、送信アンテナ３６を介して、基地局に送信される。【０００６】
また、従来例のＣＤＭＡ移動通信端末の送信電力制御システムの主要構成及び機能は以下のとおりである。
すなわち、ＳＩＲ（信号波対干渉波比）を測定するＳＩＲ測定部２６と、該ＳＩＲ測定部２６で測定されたＳＩＲ値と目標ＳＩＲ値に基づき、基地局の送信電力のアップ、ダウンを通知するためのＴＰＣ（送信電力制御）ビット生成部３１と、前記目標ＳＩＲ値を出力するアウターループ電力制御部３０とにより、インナーループ電力制御を行う。このため更に、ターボ復号部２４の復号結果をＣＲＣ判定し、復号データに誤りがあるか否かを判定するＣＲＣ判定部２８と、ＣＲＣ判定結果をカウントすることで、ブロックエラーレート（Block Error Rate：ＢＬＥＲ）を測定するＢＬＥＲ測定部２９とを有する。アウターループ電力制御部３０はＢＬＥＲ測定結果が予め設定された値（所要品質）程度になるようにＴＰＣビット生成部３１で使用する前記目標ＳＩＲ値を更新する。【０００７】
以上の構成により、ＣＤＭＡ移動通信端末側の受信品質が常に一定の値になるように、基地局側は受信したＴＰＣ（送信電力制御）ビットを元にＣＤＭＡ移動通信端末への送信電力を制御することが出来る。【０００８】
また、ターボ復号部２４はＩｔｅｒａｔｉｏｎ数と呼ばれる回数分、復号処理を繰り返し実施することで、誤り訂正能力を向上させることができる。このため、ＣＤＭＡ移動通信端末では、予め、所定以上の誤り訂正能力を得られる様に設定されたＩｔｅｒａｔｉｏｎ回数で動作する様にターボ復号部（器）が構成されている。【０００９】
また、無線基地局における複数ユーザからの受信信号に対するターボ復号器の復号処理の繰り返し回数について、少ない演算量で受信特性を良化するため最適化方法が知られている（特許文献１参照）。
【特許文献１】特開２００４−３０４６２０号公報
【発明の開示】
【発明が解決しようとする課題】
【００１０】
しかしながら、従来のターボ復号システム及び送信電力制御方法においては、次のような問題がある。
第１の問題は、ターボ復号器の繰り返し回数を増やすと性能が上がる反面、処理量が増加し、消費電力が増えてしまうという点にある。【００１１】
この点に関し特許文献１に示されているように、基地局の受信信号の受信品質を測定することでターボ復号器の繰り返し回数を最適化する方法は知られているが、前記のような送信電力制御を行っているＣＤＭＡ移動通信システムの移動通信端末では受信品質だけをみてターボ復号器の繰り返し回数を制御してしまうと、送信電力制御の収束状態によっては、基地局の送信電力が増加し、他ユーザに対する干渉電力を増やすことになるため、一時的に受信電力が高い環境においても繰り返し処理を単純に減らしてしまうことは出来ない。【００１２】
第２の問題は、移動通信端末のターボ復号システムには単位時間毎に受信データが入力され、復号動作を行われるが、入力されるビット数は常に一定ではなく、図２に示す様に複数のビットサイズ（数）があり得るという点にある。処理単位あたりのビット数が異なると、移動通信端末の受信特性が変わるため、品質を一定に保つためのアウターループ電力制御はこの特性差を考慮して行う必要がある。しかし、最も受信性能を要するビット数（一般的にはビット数が最大の場合）にあわせた送信電力制御を行うと、他のビットサイズに対しては過剰な受信品質となってしまい消費電流が無駄になる。【００１３】
そこで本発明の目的は、以上の問題を解決するものであり、必要以上に基地局側の送信電力を上げることなく、ターボ復号部の消費電流を削減することを可能とするＣＤＭＡ移動通信端末のターボ復号システム、送信電力制御方法及びＣＤＭＡ移動通信端末を提供することにある。
本発明の他の目的は、ターボ復号の復号時の過剰な繰り返し処理を防止し、消費電流を削減したＣＤＭＡ移動通信端末のターボ復号システム、送信電力制御方法及びＣＤＭＡ移動通信端末を提供することにある。【００１４】
本発明の他の目的は、アウターループ電力制御とターボ復号のイタレーション（Ｉｔｅｒａｔｉｏｎ）回数の制御とを好適に実施するＣＤＭＡ移動通信端末のターボ復号システム、送信電力制御方法及びＣＤＭＡ移動通信端末を提供することにある。
本発明の他の目的は、アウターループ電力制御の収束状態を元にＩｔｅｒａｔｉｏｎ回数を適応的に制御することにより、他ユーザに対する干渉電力の増加を抑制可能としたＣＤＭＡ移動通信端末のターボ復号システム、送信電力制御方法及びＣＤＭＡ移動通信端末を提供することにある。
【課題を解決するための手段】
【００１５】
上記問題を解決するため、本発明はターボ復号による誤り訂正後のＣＲＣ判定結果により計測した受信信号の受信品質に基づき、基地局の送信電力を制御するＣＤＭＡ移動通信端末及びそのターボ復号システムとして、復号ビット数毎に前記受信品質を測定する品質測定手段（例えば、図３のＢＥＬＲ測定部１０）と、前記品質測定手段で測定した復号ビット数毎の受信品質に基づいて、送信信号に挿入する基地局の送信電力を制御する送信電力制御ビット（ＴＰＣビット）及びターボ復号のイタレーション回数を復号ビット数毎に制御する制御部（例えば、図３のアウターループ電力制御及びＩｔｅｒａｔｉｏｎ制御部１１）と、を備えることを特徴とし、前記制御部は、最も受信性能を要する復号ビット数の受信品質に基づく前記送信電力制御ビットの制御により最も受信性能を要する復号ビット数の受信品質が所定の受信品質を満たした場合に、ターボ復号のイタレーション回数が最適になるように制御し、最も受信性能を要する復号ビット数の受信品質が所定の受信品質を満たしていない場合に、前記復号ビット数以外の復号ビット数の受信品質に基づき前記送信電力制御ビットを制御することを特徴とする。【００１６】
また、前記制御部は、最も受信性能を要する復号ビット数の受信品質が過去所定時間以内に更新されており、かつ所定の受信品質を満たした場合に、ターボ復号のイタレーション回数を制御することを特徴とする。更に、最も受信性能を要する復号ビット数の受信品質が過去所定時間以内に更新されていない場合に、前記復号ビット数以外の復号ビット数の受信品質に基づき前記送信電力制御ビットを制御し、最も受信性能を要する復号ビット数の受信品質が、過去所定時間以内に更新されておらず、過去所定時間以前の一定時間以内にも更新されていない場合に、前記復号ビット数以外の復号ビット数のターボ復号のイタレーション回数を一旦最大値に戻す。【００１７】
そして前記制御部は、前記イタレーション回数の制御として、最も受信性能を要する復号ビット数以外の復号ビット数の受信品質が所要品質を満たすようにターボ復号のイタレーション回数を制御することを特徴とする。【００１８】
より具体的には、受信信号から信号波対干渉波比を測定するＳＩＲ測定部と、前記ＳＩＲ測定部の出力が目標信号波対干渉波比になるように送信電力制御ビットを生成するＴＰＣビット生成部と、送信信号に送信電力制御ビットを挿入するＴＰＣビット挿入部と、を備え、前記制御部は、前記品質計測手段が復号ビット数毎の受信品質として計測したブロックエラーレートに基づき、最も受信性能を要する復号ビット数としての復号ビット数最大時のブロックエラーレートが移動通信における所要品質を満たす様にＴＰＣビット生成部に前記目標信号波対干渉波比を出力するとともに、前記復号ビット数最大時のブロックエラーレートが所要品質に収束している場合は、復号ビット数最大時以外の復号ビット数毎のブロックエラーレートの全てが所要品質を満たす様にターボ復号のイタレーション回数を復号ビット数毎に制御する。【００１９】
また、本発明は送信電力制御方法として、ターボ復号による誤り訂正後のＣＲＣ判定結果により計測した受信信号の受信品質に基づき、基地局の送信電力を制御するＣＤＭＡ移動通信端末の送信電力制御方法において、復号ビット数毎に前記受信品質を測定し、測定した復号ビット数毎の受信品質に基づいて、送信信号に挿入する基地局の送信電力を制御する送信電力制御ビット及びターボ復号のイタレーション回数を復号ビット数毎に制御することを特徴とし、最も受信性能を要する復号ビット数の受信品質に基づく前記送信電力制御ビットの制御により最も受信性能を要する復号ビット数の受信品質が所定の受信品質を満たした場合に、ターボ復号のイタレーション回数が最適になるように制御し、最も受信性能を要する復号ビット数の受信品質が所定の受信品質を満たしていない場合に、前記復号ビット数以外の復号ビット数の受信品質に基づき前記送信電力制御ビットを制御することを特徴とする。【００２０】
また、最も受信性能を要する復号ビット数の受信品質が過去所定時間以内に更新されており、かつ所定の受信品質を満たした場合に、ターボ復号のイタレーション回数を制御し、最も受信性能を要する復号ビット数の受信品質が過去所定時間以内に更新されていない場合に、前記復号ビット数以外の復号ビット数の受信品質に基づき前記送信電力制御ビットを制御することを特徴とする。更に、最も受信性能を要する復号ビット数の受信品質が、過去所定時間以内に更新されておらず、過去所定時間以前の一定時間以内にも更新されていない場合に、前記復号ビット数以外の復号ビット数のターボ復号のイタレーション回数を一旦最大値にすることを特徴とする。そして、前記イタレーション回数の制御として、最も受信性能を要する復号ビット数以外の復号ビット数の受信品質が所要品質を満たすようにターボ復号のイタレーション回数を制御する。【００２１】
より具体的には、受信信号から信号波対干渉波比を測定し、測定した信号波対干渉波比が目標信号波対干渉波比になるように送信電力制御ビットを生成し、送信信号に前記送信電力制御ビットを挿入し、復号ビット数毎の受信品質として計測したブロックエラーレートに基づき、最も受信性能を要する復号ビット数としての復号ビット数最大時のブロックエラーレートが移動通信における所要品質を満たす様に前記目標信号波対干渉波比を出力することを特徴とする。【００２２】
本発明のターボ復号システム、送信電力制御方法及びＣＤＭＡ移動通信端末は、アウターループ送信電力制御の収束状態を元にＩｔｅｒａｔｉｏｎ回数を適応的に制御することにより、過剰な繰り返し処理を防止し、消費電流を削減したことを特徴とし、最も受信性能を要するビット数の受信品質を元にアウターループ電力制御及びＩｔｅｒａｔｉｏｎ制御部１１が基地局側の送信電力制御を実施し、その結果により所要の受信品質を満たした場合は、更にターボ復号部４のＩｔｅｒａｔｉｏｎ回数が最適になる様に制御する。このため、必要以上に基地局側の送信電力を上げてしまわずに、ターボ復号部の消費電流を削減することが出来る。つまり、アウターループ電力制御及びＩｔｅｒａｔｉｏｎ制御部１１は、ＢＬＥＲ（Block Error Rate）測定部１０のＡで計測されたターボ復号ビット数が最大時のＢＬＥＲが、移動通信における所要品質を満たす様にＴＰＣビット生成部１２に目標ＳＩＲ（信号波対干渉波比）を入力する。前記、ターボ復号ビット数最大時のＢＬＥＲ  Ａが所要品質に収束している場合は、ＢＬＥＲ測定部１０のＢ１，Ｂ２，Ｂ３・・・で計測された、その他のターボ復号ビット数毎のＢＬＥＲ全てが所要品質を満たす様にターボ復号部４のＩｔｅｒａｔｉｏｎ回数を復号ビット数毎に制御する。このようにして、ターボ復号ビット数による受信特性の違いを、Ｉｔｅｒａｔｉｏｎ回数を変更することで調整しているので、受信特性を安定させると同時に消費電流量を低減することができる（図３）。
【発明の効果】
【００２３】
本発明においては、以下に記載するような効果を奏する。
第１の効果は、ターボ復号を行うビット数毎に受信品質（Block Error Rate）を別々に測定しているので、それぞれの復号ビット数に対して所要の受信品質を満たすことができ、安定した受信性能を実現することが可能である。【００２４】
第２の効果は、ターボ復号を行うビット数毎にターボ復号時のイタレーション（Ｉｔｅｒａｔｉｏｎ）回数を制御できる構成となっているため、不要なＩｔｅｒａｔｉｏｎ数を削減することが出来、端末の処理量、消費電流を削減することが可能である。【００２５】
第３の効果は、最も受信性能を要求されるターボ復号ビット数に対して、最大のＩｔｅｒａｔｉｏｎ回数が設定されるので、基地局の送信電力を必要以上に上げてしまうことが無く、他ユーザへの干渉を増やしてしまうことを防止することが可能である。【００２６】
第４の効果は、最も受信性能を要求されるターボ復号ビット数の測定された受信品質の整理番号信頼度が低い場合はＩｔｅｒａｔｉｏｎ制御を行わないように構成することにより、Ｉｔｅｒａｔｉｏｎ制御処理の誤動作による性能劣化を防止することが可能である。
【発明を実施するための最良の形態】
【００２７】
本発明のＣＤＭＡ移動通信端末のターボ復号システム、送信電力制御方法及びＣＤＭＡ移動通信端末の実施の形態について以下詳細に説明する。
（構成の説明）
図３は、本発明の一実施の形態としてのＣＤＭＡ移動通信端末の構成を示すブロック図である。本ＣＤＭＡ移動通信端末は、受信アンテナ部１、受信部２、ビット抽出部３、ターボ復号部４、ＴＦ（Transport Format）検出部５、信号波対干渉波比（ＳＩＲ）を測定するＳＩＲ測定部６、ＣＲＣ判定部８、セレクタ９、ＴＦ毎のブロックエラーレート（Block Error Rate；ＢＬＥＲ）を測定するＢＬＥＲ測定部（Ａ，Ｂ１，Ｂ２，Ｂ３・・・）１０、アウターループ電力制御及びＩｔｅｒａｔｉｏｎ制御部１１、送信電力制御（ＴＰＣ）ビットを生成するＴＰＣビット生成部１２、ターボ符号化部１４、送信信号に送信電力制御ビットを挿入するＴＰＣビット挿入部１５、送信部１６及び送信アンテナ部１７により構成される。【００２８】
本実施の形態のＣＤＭＡ移動通信端末のターボ復号システムの主要構成及び機能は以下のとおりである。
すなわち、受信アンテナ１、受信部２、ビット抽出部３、ターボ復号部４、ＴＦ検出部５等からなり、基地局より送信されたデータは受信アンテナ１で受信され、受信部２によりＡ／Ｄ変換、逆拡散され、復調される。デジタル変換された復調データはビット抽出部３によりターボ復号入力データ、ＴＦＣＩ（Transport Format Combination Indicator）ビットおよびＰｉｌｏｔビットに分割され、それぞれターボ復号部４、ＴＦ検出部５およびＳＩＲ測定部６に入力される。ＴＦ検出部５は入力されたＴＦＣＩビットよりターボ復号部４に入力されるビット数等のデータフォーマット（ＴＦ）を算出する。ターボ復号部４により誤り訂正されたユーザデータ７は端末の上位アプリケーション等で使用される。【００２９】
なお、ＴＦ検出部５での前記ＴＦＣＩからＴＦへの変換は、通信時に基地局より通知される図２の様なテーブルに基づき変換される。つまり、ＣＤＭＡ移動通信端末は基地局との通信時に同図の様なＴＦＣＩとターボ符号化前のビット数との関係を示すテーブル情報が基地局より通知されるため、ビット抽出部３から出力されるＴＦＣＩビットからターボ符号化前のビット数等のＴＦへ変換し、ターボ復号部２４でのターボ復号ビット数毎の復号に利用される。【００３０】
一方、送信側はターボ符号化部１４、ＴＰＣビット挿入部１５、送信部１６、送信アンテナ１７等からなり、ＣＤＭＡ移動通信端末から送信するユーザデータ１３はターボ符号化部１４で符号化され、ＴＰＣビット挿入部１５により送信電力制御ビット（ＴＰＣビット）が挿入された後、送信部１６、送信アンテナ１７を介して、基地局に送信される。【００３１】
また、本実施の形態のＣＤＭＡ移動通信端末の送信電力制御システム及びターボ復号による誤り訂正システムの主要構成及び機能は以下のとおりである。
すなわち、ＳＩＲ測定部６、ＴＰＣビット生成部１２、ＴＦ検出部５、ＣＲＣ判定部８、セレクタ９、ＢＬＥＲ測定部（Ａ，Ｂ１，Ｂ２，Ｂ３・・・）１０、アウターループ電力制御及びＩｔｅｒａｔｉｏｎ制御部１１等からなり、送信電力制御システムの機能としては、ＳＩＲ測定部６で測定されたＳＩＲ値と目標ＳＩＲ値に基づき、基地局の送信電力のアップ、ダウンを通知するためのＴＰＣビットを生成するＴＰＣビット生成部１２を有し、インナーループ送信電力制御を行うことが出来る。また、ターボ復号部４の復号結果をＣＲＣ判定し、復号データに誤りがあるか否かを判定するＣＲＣ判定部８を有し、ＴＦ検出部５が検出したＴＦ毎にセレクタ９を介し、ＣＲＣ判定結果を一定回数カウントしてＢＬＥＲ（Block Error Rate）を測定するＢＬＥＲ測定部（Ａ，Ｂ１，Ｂ２，Ｂ３・・・）１０を有する。アウターループ電力制御及びＩｔｅｒａｔｉｏｎ制御部１１はＴＦ毎に測定したＢＬＥＲの全てが予め設定された値（所要品質）以上になるようにＴＰＣビット生成部１２で使用する目標ＳＩＲ値を更新する。【００３２】
また、ターボ復号による誤り訂正システムの機能としては、前記目標ＳＩＲ値の更新と同時にＢＬＥＲ値が所要品質以上の過剰品質とならない様に、ターボ復号するＴＦ毎に最適なイタレーション（Ｉｔｅｒａｔｉｏｎ）回数がターボ復号部４に通知される。ターボ復号部４はＴＦ検出部５からのビット数情報及びアウターループ電力制御及びＩｔｅｒａｔｉｏｎ制御部１１からのＩｔｅｒａｔｉｏｎ指定に基づきターボ復号を実施する。【００３３】
本構成により、ターボ復号時にＴＦ毎に必要なＩｔｅｒａｔｉｏｎ回数に最適化されるため、不要な処理が削減でき、移動通信端末の消費電流を低減することが可能となる。【００３４】
なお、図３のターボ復号部４、ターボ符号化部１４は移動通信システムの誤り訂正方式として当業者によく知られているため、その詳細な構成は省略する。【００３５】
また、通常、誤り訂正の性能を改善するためにインターリーブ等で誤り発生箇所を分散する方式が同時に使用されるが、本発明とは直接関係無いため図３では省略する。
更に以上において、前記Ｐｉｌｏｔビット、ＴＰＣビット、ＴＦを検出するためのＴＦＣＩビットは３ＧＰＰ（３ｒｄ  Generation Partnership Project）の標準化仕様等で規定されているため、詳細な説明は省略する。【００３６】
（動作の説明）
本実施の形態における送信電力制御及び誤り訂正システムの全体動作を図３及びフローチャートを参照して詳細に説明する。
図４は本実施の形態の全体動作のフローチャートを示す図である。【００３７】
移動通信端末が通信を開始する際に、アウターループ電力制御及びＩｔｅｒａｔｉｏｎ制御部１１は、全てのＴＦ（ＴＦ Ａ，ＴＦ Ｂ１，ＴＦ Ｂ２，ＴＦ Ｂ３・・・）のＩｔｅｒａｔｉｏｎ回数の最大値をターボ復号部４に設定して初期化する。ただし、ＴＦ Ａには他のＴＦ Ｂｉ（ｉ＝１，２，３，４・・・）よりもビット数が大きいＴＦ（データフォーマット）を選択する（Ｓｔｅｐ１−１）。これは、一般的にビット数が最大のものが最も受信性能を要するビットであり、ＴＦ Ａを当該ビット数のＴＦとして設定する。次に、予め移動通信端末内に記録されている目標ＳＩＲの初期値をＴＰＣビット生成部１２に設定する（Ｓｔｅｐ１−２）。【００３８】
以上の設定により送信電力制御及び誤り訂正システムの動作が開始し、ビット抽出部３から一定期間毎にターボ復号するデータ（ターボ復号入力データ）及びＴＦＣＩ（Transport Format Combination Indicator）ビット、Ｐｉｌｏｔビットがそれぞれターボ復号部４、ＴＦ検出部５及びＳＩＲ測定部６に出力され、ＴＦ検出部５ではＴＦＣＩビットよりターボ復号データのビット数を算出し、ターボ復号部４及びセレクタ９に出力する。なお、ＴＦＣＩビットについては３ＧＰＰで規定されており、ビット数の算出方法は、当該事業者には良く知られているため、ここでの説明は省略する。【００３９】
ＳＩＲ測定部６は入力するＰｉｌｏｔビットによりＳＩＲ（信号波対干渉波比）を測定してＴＰＣビット生成部１２に出力し、ＴＰＣビット生成部１２は入力したＳＩＲと目標ＳＩＲとによりＴＰＣビットを生成し、基地局に送信することでインナーループの送信電力制御が行われる。具体的には、測定したＳＩＲが目標ＳＩＲより低い場合は、基地局に対して送信電力を上げるようにＴＰＣビットで通知する。測定したＳＩＲが目標ＳＩＲより高い場合は、基地局の送信電力を下げるようにＴＰＣビットで通知する。【００４０】
以上の動作と並行してターボ復号部４は入力されたビット数と設定された前記Ｉｔｅｒａｔｉｏｎ回数を元にターボ復号を行い、ＣＲＣ判定部８はターボ復号されたデータのＣＲＣ判定を行うことでデータに誤りがあるか否かの判定結果（ＣＲＣ判定結果、ＯＫ（正常）、ＮＧ（誤り）等）を出力する。セレクタ９はＴＦ検出部５が算出したビット数に基づきＴＦ Ａ，ＴＦ Ｂ１，ＴＦ Ｂ２，ＴＦ Ｂ３・・・毎のＣＲＣ判定結果からＢＬＥＲ（Block Error Rate）をそれぞれ測定するＢＬＥＲ測定部（Ａ，Ｂ１，Ｂ２，Ｂ３・・・）１０に入力する。
ＢＬＥＲ測定部（Ａ，Ｂ１，Ｂ２，Ｂ３・・・）１０はＣＲＣ判定結果のＯＫ／ＮＧ数をカウントし、以下の式１によりＢＬＥＲをそれぞれ計測する（Ｓｔｅｐ１−３）。
ＢＬＥＲ（Ｘ）＝ＴＦ（Ｘ）のＣＲＣ−ＮＧ数／（ＴＦ（Ｘ）のＣＲＣ−ＮＧ数＋ＣＲＣ−ＯＫ数）・・・・・（式１）
ここで、ＸはＴＦ ＡまたはＴＦ Ｂｉ（ｉ＝１，２，３，４・・・）
以上の動作において、アウターループ電力制御及びＩｔｅｒａｔｉｏｎ制御部１１は、最初にＴＦ Ａについて、前述の（式１）の分母が、予め設定された一定値を以上になったか否かを判断する（Ｓｔｅｐ１−４）。【００４１】
分母が前記一定値以上になった場合は後述する、ＴＦ Ａの送信電力制御処理（図５のフローチャート）を実施する（Ｓｔｅｐ１−５）。
分母が前記一定値未満の場合はｉ＝１とし、ＴＦ Ｂｉ（ｉ＝１）を処理対象とし（Ｓｔｅｐ１−６）、前述の（式１）の分母が、予め設定された一定値以上になったか否かを判断する（Ｓｔｅｐ１−７）。【００４２】
分母が前記一定値以上になった場合は後述する、ＴＦ Ｂｉの送信電力制御、Ｉｔｅｒａｔｉｏｎ制御処理（図６、図７のフローチャート）を実施する。
分母が前記一定値未満の場合はｉ＝ｉ＋１とし、次のＴＦ Ｂｉを処理対象とし（Ｓｔｅｐ１−９）、ｉ＞ＴＦ数−１か否かを判断する（Ｓｔｅｐ１−１０）。【００４３】
ｉ＞ＴＦ数−１でなければ未処理のＴＦ Ｂｉが残っていると判定し、Ｓｔｅｐ１−７の未処理ＴＦ Ｂｉの送信電力制御、Ｉｔｅｒａｔｉｏｎ制御処理（図６、図７のフローチャート）へ戻る。【００４４】
そして、Ｓｔｅｐ１−１０で全てのＴＦに対しての処理が終了した（ｉ＞ＴＦ数−１）と判定した場合は、通信が終了したか否かを判断し（Ｓｔｅｐ１−１１）、通信中であれば、Ｓｔｅｐ１−３に戻り、前述したビット抽出部３からターボ復号する入力データとＴＦＣＩビットが出力される毎に以上の動作を繰り返し、最終的にＳｔｅｐ１−１１で通信の終了を検出すると全ての動作を終了する。【００４５】
次に、前述の図４に示すＴＦ Ａの送信電力制御処理について詳細に説明する。
図５は前記Ｓｔｅｐ１−５のＴＦ Ａの送信電力制御処理のフローチャートを示す図である。
ＴＦ Ａの品質が所要品質より大きく過剰品質の場合、すなわち、ＴＦ ＡのＢＬＥＲが所要品質として予め設定されているＢＬＥＲより小さい場合は（Ｓｔｅｐ２−１）、目標ＳＩＲをＸｄＢ下げた値をＴＰＣビット生成部１２に設定する（Ｓｔｅｐ２−２）。本設定を行うと前述したインナーループ送信電力制御により、基地局の送信電力がＸｄＢ下がるため、過剰な品質を下げることが出来る。この後、前記（式１）でカウントしているＴＦ Ａの値をリセットし（つまり、ＣＲＣ  ＯＫ／ＮＧのカウント数を０にし）、次の期間のＢＬＥＲの測定を開始する（Ｓｔｅｐ２−４）。【００４６】
また、Ｓｔｅｐ２−１でＴＦ Ａの品質が所要品質以下の場合、すなわち、ＴＦ ＡのＢＬＥＲが所要品質として予め設定されているＢＬＥＲ以上の場合は目標ＳＩＲをＸｄＢ上げた値をＴＰＣビット生成部１２に設定する（Ｓｔｅｐ２−３）。本設定を行うと前述したインナーループ送信電力制御により、基地局の送信電力がＸｄＢ上がるため、不足している品質を上げることが出来る。この後、前記（式１）でカウントしているＴＦ Ａの値をリセットし（つまり、ＣＲＣ  ＯＫ／ＮＧのカウント数を０にし）、次の期間のＢＬＥＲの測定を開始する（Ｓｔｅｐ２−４）。【００４７】
なお、前記ＸｄＢは移動通信端末に予め設定された値である。また、本実施の形態では簡略化のため、受信品質と所要品質とを単純比較する方法を説明したが、測定誤差や環境変化によるばたつきを防止するため、受信品質と所要品質の差が予め設定された値以内の場合、目標ＳＩＲを変更しないように制御する方式としても良い。【００４８】
次に、前述の図４に示すＳｔｅｐ１−８のＴＦ Ｂｉの送信電力制御、Ｉｔｅｒａｔｉｏｎ制御処理について詳細に説明する。
図６は前記Ｓｔｅｐ１−８のＴＦ Ｂｉの送信電力制御、Ｉｔｅｒａｔｉｏｎ制御処理のフローチャートを示す図である。
アウターループ電力制御及びＩｔｅｒａｔｉｏｎ制御部１１は、ＢＬＥＲ測定部Ａの計測結果によりＴＦ Ａの品質が所要品質と同等か否かを判定する（Ｓｔｅｐ３−１）。具体的には以下の（式２）の条件を満たす場合、ＴＦ Ａの品質は所要品質と同等と判定する。
｜ＴＦ ＡのＢＬＥＲ−所要品質として予め設定されているＢＬＥＲ｜＜α・・・・・（式２）
ここで、αは予め移動通信端末に設定されている一定値である。【００４９】
Ｓｔｅｐ３−１で、ＴＦ Ａの品質が所要品質と同等である場合、すなわち、ＴＦ Ａのアウターループ電力制御が収束していると判定された場合、後述するＩｔｅｒａｔｉｏｎ制御処理（図７のフローチャート）を実施する（Ｓｔｅｐ３−５）。この後、前記（式１）でカウントしているＴＦ Ｂｉの値をリセットし（つまりＣＲＣ-ＯＫ／ＮＧカウント数を０とし）、次の期間のＢＬＥＲの測定を開始する（Ｓｔｅｐ３−６）。【００５０】
Ｓｔｅｐ３−１でＴＦ Ａの品質が所要品質と同等でない場合、すなわち、ＴＦ Ａのアウターループ電力制御が収束していないと判定された場合、ＴＦ ＢｉのＴＦ Ｂｉの品質が所要品質より大きいか否か、つまりＴＦ ＢｉのＢＬＥＲが所要品質として予め設定されているＢＬＥＲよりも小さいか否かを判定する（Ｓｔｅｐ３−２）。【００５１】
Ｓｔｅｐ３−２で、ＴＦ Ｂｉの品質が所要品質より大きく、過剰品質の場合、すなわち、ＢＬＥＲが所要品質として予め設定されているＢＬＥＲより小さい場合は、目標ＳＩＲをＸｄＢ下げた値をＴＰＣビット生成部１２に設定する（Ｓｔｅｐ３−３）。本設定を行うと前述したインナーループ送信電力制御により、基地局の送信電力がＸｄＢ下がるため、過剰な品質を下げることが出来る。この後、前記（式１）でカウントしているＴＦ Ｂｉの値をリセットし（つまりＣＲＣ-ＯＫ／ＮＧカウント数を０とし）、次の期間のＢＬＥＲの測定を開始する（Ｓｔｅｐ３−６）。【００５２】
Ｓｔｅｐ３−２で、ＴＦ Ｂｉの品質が所要品質以下の場合、すなわち、ＴＦ ＡのＢＬＥＲが所要品質として予め設定されているＢＬＥＲ以上の場合は、目標ＳＩＲをＸｄＢ上げた値をＴＰＣビット生成部１２に設定する（Ｓｔｅｐ３−４）。本設定を行うと前述したインナーループ送信電力制御により、基地局の送信電力がＸｄＢ上がるため、不足している品質を上げることが出来る。この後、前記（式１）でカウントしているＴＦ Ｂｉの値をリセットし（つまりＣＲＣ-ＯＫ／ＮＧカウント数を０とし）、次の期間のＢＬＥＲの測定を開始する（Ｓｔｅｐ３−６）。【００５３】
図５と同様に前記ＸｄＢは移動通信端末に予め設定された値である。また、本実施の形態では簡略化のため、受信品質と所要比較を単純比較する方法を説明した。測定誤差や環境変化によるばたつきを防止するため、受信品質と所要品質の差が予め設定された値以内の場合、目標ＳＩＲを変更しない方式としても良い。ＴＦ  Ａ、Ｂｉ（ｉ＝１，２，３・・・）の品質と所要品質と比較判定（Ｓｔｅｐ２−１、Ｓｔｅｐ３−２）で、両者が同じ場合は目標ＳＩＲのＵｐ、Ｄｏｗｎを行わない方式としても良い。【００５４】
次に、図６に示すＳｔｅｐ３−５のＩｔｅｒａｔｉｏｎ制御処理について詳細に説明する。
図７は前記Ｓｔｅｐ３−５のＩｔｅｒａｔｉｏｎ制御処理のフローチャートを示す図である。
アウターループ電力制御及びＩｔｅｒａｔｉｏｎ制御部１１は、ＢＬＥＲ測定部Ｂｉの計測結果によりＴＦ Ｂｉの品質が所要品質より大きいか否かを判断する（Ｓｔｅｐ４−１）。
Ｓｔｅｐ４−１で、ＴＦ Ｂｉの品質が所要品質より大きく、過剰品質の場合、すなわち、ＴＦ ＢｉのＢＬＥＲが所要品質として予め設定されているＢＬＥＲより小さい場合は、ＴＦ ＢｉのＩｔｅｒａｔｉｏｎ回数が最低値か否かを判断する（Ｓｔｅｐ４−２）。【００５５】
Ｓｔｅｐ４−２で、ＴＦ ＢｉのＩｔｅｒａｔｉｏｎ回数が最低値でない場合、ターボ復号部４に設定されているＴＦ ＢｉのＩｔｅｒａｔｉｏｎ回数を１減らして処理を終了し（Ｓｔｅｐ４−３）、図６の（Ｓｔｅｐ３−６）へ進む。また、Ｓｔｅｐ４−２で、ＴＦ ＢｉのＩｔｅｒａｔｉｏｎ回数が最低値の場合は処理を終了し、図６の（Ｓｔｅｐ３−６）へ進む。【００５６】
Ｓｔｅｐ４−１で、ＴＦ Ｂｉの品質が所要品質以下の場合、すなわち、ＴＦ ＢｉのＢＬＥＲが所要品質として予め設定されているＢＬＥＲ以上の場合は、ターボ復号部４に設定されているＴＦ ＢｉのＩｔｅｒａｔｉｏｎ回数が最大値か否かを判断する（Ｓｔｅｐ４−４）。【００５７】
Ｓｔｅｐ４−４で、ＴＦ ＢｉのＩｔｅｒａｔｉｏｎ回数が最大値でない場合は、ターボ復号部４に設定されているＴＦ ＢｉのＩｔｅｒａｔｉｏｎ回数を１足して処理を終了し（Ｓｔｅｐ４−５）、図６の（Ｓｔｅｐ３−６）へ進む。また、Ｓｔｅｐ４−４で、ＴＦ ＢｉのＩｔｅｒａｔｉｏｎ回数が最大値の場合は処理を終了し、図６の（Ｓｔｅｐ３−６）へ進む。【００５８】
以上の動作により、アウターループ電力制御でＴＦ Ａ、ＴＦ Ｂｉ（ｉ＝１，２，３，４・・・）の品質を満たすことが出来ると同時に、ターボ復号時の不要なＩｔｅｒａｔｉｏｎ数を削減することが出来る。また、Ｉｔｅｒａｔｉｏｎ数を削減しても基地局の送信電力を必要以上に上げてしまうことが無いため、他ユーザへの干渉の増加を防止することが出来る。【００５９】
（他の実施の形態）
本発明の他の実施の形態として、その基本的構成は同様であるが、図６に示すＴＦ Ｂｉの送信電力制御の動作のフローチャートにおいて、ＴＦ Ａの品質測定結果の信頼度を判定する処理ステップを追加した実施の形態を以下に説明する。
図８はＴＦ Ａの品質測定結果の信頼度を判定するようにしたＴＦ Ｂｉの送信電力制御の動作のフローチャートを示す図である。【００６０】
本実施の形態では、アウターループ電力制御及びＩｔｅｒａｔｉｏｎ制御部１１は、図４のＳｔｅｐ１−８において、最初にＴＦ Ａの品質が過去Ｔ１時間以内に更新されているか否かを判断する（Ｓｔｅｐ５−１）。ここでＴ１は予め移動通信端末に設定された値であり、所定地域の無線環境等のフィールド評価等により決定される。【００６１】
ＴＦ Ａの品質が過去Ｔ１時間以内に更新されている場合は、図６と同様にＢＬＥＲ測定部Ａの計測結果によりＴＦ Ａの品質が所要品質と同等か否かを判定し（Ｓｔｅｐ５−４）、そうでない場合、端末の移動や他ユーザの使用状況によって、無線環境が変わっている可能性があるため、ＴＦ Ａで測定した品質の信頼度が低下したと判定し、ＴＦ Ａの品質が過去Ｔ２時間以内に更新されているか否かを判断する（Ｓｔｅｐ５−２）。ここでＴ２は予め端末に設定された値であり以下の（式３）の条件に設定される。
Ｔ１＜Ｔ２・・・・・（式３）【００６２】
Ｓｔｅｐ５−２で、ＴＦ Ａの品質が過去Ｔ２時間以内に更新されている場合は（Ｓｔｅｐ５−５）に進む。ＴＦ Ａの品質が過去Ｔ２時間以内に更新されていない場合は、ＴＦ Ａの送信頻度が低いと判定し、ＴＦ ＢｉのＩｔｅｒａｔｉｏｎ回数を最大値（初期値）に戻し（Ｓｔｅｐ５−３）、ＴＦ Ｂｉ受信時の受信特性を上げた後、（Ｓｔｅｐ５−５）へ進む。【００６３】
以下の処理は図６に示す処理と同様である。すなわち、
Ｓｔｅｐ５−４で、ＴＦ Ａの品質が所要品質と同等の場合、具体的には前記（式２）の条件を満たす場合、すなわち、ＴＦ Ａのアウターループ電力制御が収束していると判定される場合は場合、図７に示すＩｔｅｒａｔｉｏｎ制御処理を実施し（Ｓｔｅｐ５−８）、Ｓｔｅｐ５−８の処理後（Ｓｔｅｐ５−９）へ進む。
また、Ｓｔｅｐ５−４で、ＴＦ Ａの品質が所要品質と同等でない場合は、ＴＦ Ｂｉの品質が所要品質より大きいか否かを判定する（Ｓｔｅｐ５−５）。【００６４】
Ｓｔｅｐ５−５で、ＴＦ Ｂｉの品質が所要品質より大きく、過剰品質の場合、すなわち、ＢＬＥＲが所要品質として予め設定されているＢＬＥＲより小さい場合は、目標ＳＩＲをＸｄＢ下げた値をＴＰＣビット生成部１２に設定する（Ｓｔｅｐ５−６）。本設定を行うと前述したインナーループ送信電力制御により、基地局の送信電力がＸｄＢ下がるため、過剰な品質を下げることが出来る。この後（Ｓｔｅｐ５−９）へ進む。【００６５】
Ｓｔｅｐ５−５で、ＴＦ Ｂｉの品質が所要品質以下の場合、目標ＳＩＲをＸｄＢ上げた値をＴＰＣビット生成部１２に設定する（Ｓｔｅｐ５−７）。本設定を行うと前述したインナーループ送信電力制御により、基地局の送信電力がＸｄＢ上がるため、不足している品質を上げることが出来る。この後（Ｓｔｅｐ５−９）へ進む。【００６６】
以上の処理のＳｔｅｐ５−９では、前記（式１）でカウントしているＴＦ Ｂの値をリセットし（つまりＣＲＣ  ＯＫ／ＮＧカウント数を０にし）、次の期間のＢＬＥＲの測定を開始する。
前記ＸｄＢは図５と同様に移動通信端末に予め設定された値である。また、本実施の形態でも簡略化のため、受信品質と所要比較を単純比較する方法を説明した。測定誤差や環境変化によるばたつきを防止するため、受信品質と所要品質の差が予め設定された値以内の場合、目標ＳＩＲを変更しない方式としても良い。【００６７】
このように、本実施の形態では、測定されたＴＦ Ａの受信品質の信頼度が低い場合はＩｔｅｒａｔｉｏｎ制御を行わないため、Ｉｔｅｒａｔｉｏｎ制御処理の誤動作による性能劣化を防止する効果が得られる。
【図面の簡単な説明】
【００６８】
【図１】従来例のＣＤＭＡ移動通信端末のターボ復号システム及び送信電力制御方法を示す図である。
【図２】ＴＦＣＩとターボ符号化前のビット数との関係の例を示すイメージ図である。
【図３】本発明の一実施の形態としてのＣＤＭＡ移動通信端末の構成を示すブロック図である。
【図４】本実施の形態の全体動作のフローチャートを示す図である。
【図５】図４のＳｔｅｐ１−５のＴＦ Ａの送信電力制御処理のフローチャートを示す図である。
【図６】図４のＳｔｅｐ１−８のＴＦ Ｂｉの送信電力制御、Ｉｔｅｒａｔｉｏｎ制御処理のフローチャートを示す図である。
【図７】図６のＳｔｅｐ３−５のＩｔｅｒａｔｉｏｎ制御処理のフローチャートを示す図である。
【図８】ＴＦ Ａの品質測定結果の信頼度を判定するようにしたＴＦ Ｂｉの送信電力制御の動作のフローチャートを示す図である。
【符号の説明】
【００６９】
１、１７、２１、３６    アンテナ
２、２２    受信部
３、２３    ビット抽出部
４、２４    ターボ復号部
５、２５    ＴＦ検出部
６、２６    ＳＩＲ測定部
７、２７    受信データ系列
８、２８    ＣＲＣ判定部
９    セレクタ
１０    ＢＬＥＲ測定部（Ａ，Ｂ１，Ｂ２，Ｂ３・・・）
１１    アウターループ電力制御及びＩｎｔｅｒａｔｉｏｎ制御部
１２、３１    ＴＰＣビット生成部
１４、３２    送信データ系列
１５、３４    ＴＰＣビット挿入部
１６、３５    送信部
２９    ＢＬＥＲ測定部
３０    アウターループ電力制御部
【図１】
0004831068.tif 000002
【図２】
0004831068.tif 000003
【図３】
0004831068.tif 000004
【図４】
0004831068.tif 000005
【図５】
0004831068.tif 000006
【図６】
0004831068.tif 000007
【図７】
0004831068.tif 000008
【図８】
0004831068.tif 000009